(57)【特許請求の範囲】
【請求項１】
天然ゴムラテックスと合成樹脂エマルジョンとプロピレングリコールとを含むタイヤパンクシール剤において、前記プロピレングリコール／水の比が０．５〜１．１であり、かつＢＬ型粘度計を使用したときの−２０℃の粘度が回転数６０ｒｐｍで１００〜１２００ｍＰａ・ｓであるタイヤパンクシール剤であって、前記合成樹脂エマルジョンに含有される合成樹脂が、エチレン−酢酸ビニル共重合樹脂を含有し、前記タイヤパンクシール剤に対する、前記天然ゴムラテックス及び前記合成樹脂エマルジョンの固形分の合計量が、２０〜４０質量％である、タイヤパンクシール剤。
【請求項２】
前記天然ゴムラテックスの固形分／前記合成樹脂エマルジョンの固形分の比が９０／１０〜３０／７０である請求項１に記載のタイヤパンクシール剤。
【請求項３】
前記エチレン−酢酸ビニル共重合樹脂が、エチレン−酢酸ビニル２元共重合樹脂またはエチレン−酢酸ビニル−バーサチック酸ビニル共重合樹脂である、請求項１または２に記載のタイヤパンクシール剤。
【発明の詳細な説明】
【技術分野】
【０００１】
本発明はタイヤパンクシール剤に関する。
【背景技術】
【０００２】
タイヤパンクシール剤は、ＮＲラテックス及び／又は合成樹脂エマルジョンにプロピレングリコールのような凍結防止剤をブレンドしたものである。従来タイヤパンクシール剤について、低温での粘度を低下させ注入性を改善するために、タイヤパンクシール剤に水を加えることによってＮＲラテックスや合成樹脂エマルジョンを薄める方法や、特許文献１に記載されている方法が提案されている。
【先行技術文献】
【特許文献】
【０００３】
【特許文献１】特開２０１１−１２１３０号公報
【発明の概要】
【発明が解決しようとする課題】
【０００４】
しかしながら、加水により液を薄める方法では、タイヤパンクシール剤の低温での粘度は低下するもののシール性能が低下してしまい、タイヤパンクシール剤の低温注入性とシール性能とを両立させることは困難であった。
また、特許文献１に記載されているような、多量のプロピレングリコールを含むタイヤパンクシール剤は低温環境での注入性について改善の余地があることを本願発明者は見出した。
そこで、本発明は低温注入性、シール性能に優れるタイヤパンクシール剤を提供することを目的とする。
【０００５】
ここで、本願発明者はタイヤパンクシール剤に含まれる、プロピレングリコール（ＰＧ）と水との関係に注目した。以下添付の図面を用いてこれを説明する。図１はタイヤパンクシール剤の粘度とＰＧ／水比率の関係を示すグラフである。図１では、天然ゴムラテックスにＰＧを加えて固形分２５．９９質量％、ＰＧ／水の比が０．３〜２．３であるタイヤパンクシール剤を製造し、これを常温（２０℃）、−２０℃、−４０℃の条件下におき、ＢＬ型粘度計（回転数６０ｒｐｍ、ロータＮｏ．３）を用いてタイヤパンクシール剤の粘度を測定して得られた結果をデータとした。図１において、−２０℃、−４０℃のグラフはＰＧ／水１．７付近で粘度が低下しＰＧ／水が１．８以上でも粘度は同等であるまたは低下する現象が観察できる。従来タイヤパンクシール剤には凍結防止の目的でＰＧを水より多くして添加したが、ＰＧを多く添加することによって凍結防止をさせるとともに低温でのタイヤパンクシール剤の粘度の上昇をも抑制していたと考えられる。
また、図１において、本願発明者は、−２０℃の条件下でＰＧ／水１．１を超え１．５付近までの間にタイヤパンクシール剤の粘度が急上昇してその結果低温でのタイヤパンクシール剤の注入性が著しく低下することを見出した。そしてさらに、ＰＧ／水０．３〜１．１ではタイヤパンクシール剤の粘度が低く保たれ低温注入性に優れることを見出した。
図３はＰＧ／水が０．８、１．２、１．５のタイヤパンクシール剤を常温（２０℃）、−２０℃、−４０℃の条件下においてタイヤパンクシール剤の粘度を測定した結果を示すグラフである。図３に示す結果の測定に使用されたタイヤパンクシール剤は図１に示すデータを測定する際に使用された、ＰＧ／水が０．８、１．２、１．５のタイヤパンクシール剤と同様である。粘度は上記と同様の方法で測定された。図３において、常温、−２０℃、−４０℃のいずれの条件下おいてもＰＧ／水０．８が最も粘度が低い。
ＰＧ／水１．７付近でタイヤパンクシール剤の粘度が低くなる現象のメカニズムについて、本願発明者は以下ように推測する。
ＰＧのようなアルコールは、水と混ざると、水溶液中でクラスターを形成することができる。疎水性相互作用で集まったアルコール分子の回りを水分子が水素結合してカゴ状（クラスレート）構造を形成する。このことを「疎水性水和」と言う。アルコール濃度が（通常タイヤパンクシール剤中に使用されている程度まで）上がると、クラスター同士が会合し、水分子の水素結合ネットワークによるカゴ状構造が壊れ、粘度が下がると考えられる。ＰＧ／水混合系の場合、クラスター同士が会合し、水分子の水素結合ネットワークによるカゴ状構造が壊れるのがＰＧ／水１．７付近であると考えられる。つまり、ＰＧ／水１．７付近が、水分子の水素結合ネットワークによるカゴ状構造が壊れ系内が不安定になり、クラスター同士の会合が生じ始める境界線なのではないかと思われる。ＰＧ／水１．７以上であると、クラスターが会合しやすい状態にあるため、粘度が上昇しないまた、低下する傾向がみられたと考えられる。
【０００６】
次に、本願発明者はＰＧ水溶液における粘度とＰＧ／水比率の関係を検討した。結果を図２に示す。図２はＰＧ水溶液における粘度とＰＧ／水比率の関係を示すグラフである。図２ではプロピレングリコールと水とをＰＧ／水：０．９〜２．３で混合し得られたＰＧ水溶液を−２０℃、−４０℃において上記と同様にして粘度を測定した結果をデータとした。図２（ａ）、図２（ｂ）においてＰＧ／水１．７付近で粘度が低下しているのが観察できる。これは図１におけるタイヤパンクシール剤（−２０℃、−４０℃）の結果と同様の傾向にある。また図２（ａ）、図２（ｂ）においてＰＧ／水１．１を超え１．６付近の間でＰＧ水溶液の粘度が急上昇する現象が見られた。
ＰＧ／水１．１を超え１．６付近の間でＰＧ水溶液の粘度が急上昇する現象のメカニズムについて、本願発明者は以下ように推測する。
上述のとおりＰＧのようなアルコールは、水と混ざると、水溶液中でクラスターを形成することができる。疎水性相互作用で集まったアルコール分子の回りを水分子が水素結合してカゴ状構造を形成する。クラスターの会合が起こるまで（つまりＰＧ／水系では１．７付近未満の範囲、１．１を超え１．６付近の間）は、クラスレート構造を形成するため、粘度が上昇すると考えられる。
【課題を解決するための手段】
【０００７】
本発明者は、上記課題を解決すべく鋭意研究した結果、天然ゴムラテックスと合成樹脂エマルジョンとプロピレングリコールとを含むタイヤパンクシール剤において、プロピレングリコール／水の比が０．５〜１．１であり、粘度が１００〜１２００ｍＰａ・ｓであり、合成樹脂エマルジョンに含有される合成樹脂が、エチレン−酢酸ビニル共重合樹脂を含有し、タイヤパンクシール剤に対する、天然ゴムラテックス及び合成樹脂エマルジョンの固形分の合計量が、２０〜４０質量％であることによって、タイヤパンクシール剤の低温注入性、シール性能が優れることを見出し、本発明を完成させた。
【０００８】
すなわち、本発明は、下記１〜３を提供する。
１．  天然ゴムラテックスと合成樹脂エマルジョンとプロピレングリコールとを含むタイヤパンクシール剤において、上記プロピレングリコール／水の比が０．５〜１．１であり、かつＢＬ型粘度計を使用したときの−２０℃の粘度が回転数６０ｒｐｍで１００〜１２００ｍＰａ・ｓであるタイヤパンクシール剤であって、上記合成樹脂エマルジョンに含有される合成樹脂が、エチレン−酢酸ビニル共重合樹脂を含有し、上記タイヤパンクシール剤に対する、上記天然ゴムラテックス及び上記合成樹脂エマルジョンの固形分の合計量が、２０〜４０質量％である、タイヤパンクシール剤。
２．  上記天然ゴムラテックスの固形分／上記合成樹脂エマルジョンの固形分の比が９０／１０〜３０／７０である上記１に記載のタイヤパンクシール剤。
３．  上記エチレン−酢酸ビニル共重合樹脂が、エチレン−酢酸ビニル２元共重合樹脂またはエチレン−酢酸ビニル−バーサチック酸ビニル共重合樹脂である、上記１または２に記載のタイヤパンクシール剤。
【発明の効果】
【０００９】
本発明のタイヤパンクシール剤は低温注入性、シール性能に優れる。
【図面の簡単な説明】
【００１０】
【図１】図１はタイヤパンクシール剤の粘度とＰＧ／水比率の関係を示すグラフである。
【図２】図２はＰＧ水溶液における粘度とＰＧ／水比率の関係を示すグラフである。
【図３】図３はＰＧ／水が０．８、１．２、１．５のタイヤパンクシール剤を常温（２０℃）、−２０℃、−４０℃の条件下においてタイヤパンクシール剤の粘度を測定した結果を示すグラフである。
【発明を実施するための形態】
【００１１】
本発明について以下詳細に説明する。
本発明は、天然ゴムラテックスと合成樹脂エマルジョンとプロピレングリコールとを含むタイヤパンクシール剤において、上記プロピレングリコール（ＰＧ）／水の比が０．５〜１．１であり、かつＢＬ型粘度計を使用したときの−２０℃の粘度が回転数６０ｒｐｍで１００〜１２００ｍＰａ・ｓであるタイヤパンクシール剤であって、上記合成樹脂エマルジョンに含有される合成樹脂が、エチレン−酢酸ビニル共重合樹脂を含有し、上記タイヤパンクシール剤に対する、上記天然ゴムラテックス及び上記合成樹脂エマルジョンの固形分の合計量が、２０〜４０質量％である、タイヤパンクシール剤である。
本発明のタイヤパンクシール剤は、ＰＧ／水の比（ＰＧ／水比、質量比）が０．５〜１．１であり、ＢＬ型粘度計を使用したときの−２０℃の粘度が回転数６０ｒｐｍで１００〜１２００ｍＰａ・ｓであり、合成樹脂エマルジョンに含有される合成樹脂が、エチレン−酢酸ビニル共重合樹脂を含有し、タイヤパンクシール剤に対する、天然ゴムラテックス及び合成樹脂エマルジョンの固形分の合計量が、２０〜４０質量％であることによって、低温注入性、シール性能、保管性能に優れる。
【００１２】
本発明のタイヤパンクシール剤に含むことができる天然ゴムラテックスは特に制限されない。例えば従来公知のものが挙げられる。天然ゴムラテックスとして天然ゴムラテックスからタンパク質を除去した脱蛋白天然ゴムラテックスを使用するのが好ましい。タンパク質が少ないと、アンモニアの発生量を少なくすることができ、アンモニアによるスチールコードへの腐食損傷および刺激臭の発生を防止するという理由からである。具体的には、例えば、脱蛋白天然ゴムラテックス（ＳｅＬａｔｅｘシリーズ、ＳＲＩハイブリッド社製）、脱蛋白天然ゴムラテックス（ＨＡ、野村貿易社製）、超低アンモニア天然ゴムラテックス（ＵＬＡＣＯＬ、レヂテックス社製）等が挙げられる。
天然ゴムラテックスはそれぞれ単独でまたは２種以上を組み合わせて使用することができる。
本発明のタイヤパンクシール剤は、天然ゴムラテックスの他にさらに合成ゴムラテックスを含むことができる。合成ゴムラテックスとしては例えば、ＳＢＲラテックス、ＮＢＲラテックス、カルボキシ変性ＮＢＲラテックス、カルボキシ変性ＳＢＲラテックスが挙げられる。
【００１３】
本発明のタイヤパンクシール剤が含むことができる合成樹脂エマルジョンは特に制限されない。例えば、ウレタンエマルジョン、（メタ）アクリル樹脂エマルジョン、ポリオレフィン系エマルジョン、エチレン−酢酸ビニル共重合樹脂エマルジョン、エチレン−酢酸ビニル−バーサチック酸ビニル共重合樹脂エマルジョンが挙げられる。なかでも、合成樹脂エマルジョンに含有される合成樹脂は、シール性能により優れ、保管性能に優れるという観点から、エチレン−酢酸ビニル共重合樹脂を含有する。
合成樹脂エマルジョンはそれぞれ単独でまたは２種以上を組み合わせて使用することができる。２種以上の合成樹脂を含有する合成樹脂エマルジョンは、例えば、２種以上の合成樹脂エマルジョンを混合して得ることができる。合成樹脂が共重合体である場合、共重合体は、例えば、ランダム共重合体、ブロック共重合体、グラフト重合体とすることができる。
【００１４】
合成樹脂エマルジョンに含有されるエチレン−酢酸ビニル共重合樹脂は、エチレンおよび酢酸ビニルをモノマー単位として含む共重合樹脂であれば特に限定されない。エチレン−酢酸ビニル共重合樹脂としては、例えば、エチレン−酢酸ビニル２元共重合樹脂（ＥＶＡ）、エチレン−酢酸ビニル−バーサチック酸ビニル共重合樹脂（ＶＥＶＡ）、エチレン−酢酸ビニル−アクリル酸エステル共重合樹脂が挙げられる。
ＥＶＡ（２元共重合体）を構成するモノマー比（エチレン：酢酸ビニル）は、保管性能に優れるという観点から、質量比で２０：８０〜４０：６０であるのが好ましい。
ＶＥＶＡを構成するモノマー比（エチレン：酢酸ビニル：バーサチック酸ビニル）はシール性能および保管性能に優れるという観点から、質量比で５：５：９０〜１０：５：８５であるのが好ましい。
【００１５】
エチレン−酢酸ビニル共重合樹脂エマルジョンとしては、具体的には、例えば、スミカフレックス４０８ＨＱＥ、４０１ＨＱ、４００ＨＱ（以上、住化ケムテックス社製）が挙げられる。
エチレン−酢酸ビニル−バーサチック酸ビニル系ＶＡエマルジョンとしては、具体的には、例えば、スミカフレックス９５０ＨＱ、９５１ＨＱ（以上、住化ケムテックス社製）が挙げられる。
【００１６】
天然ゴムラテックスと合成樹脂エマルジョンの固形分（質量％。天然ゴム、合成樹脂の合計量）は、低温注入性、シール性能により優れ、シール性能と保管性能が両立できるという観点から、タイヤパンクシール剤の２０〜４０％であり、２５〜３５％であるのがより好ましい。
低温注入性、シール性能により優れ、シール性能と保管性能が両立できるという観点から、タイヤパンクシール剤の−２０℃の粘度が１００ｍＰａ・ｓ以上４００ｍＰａ・ｓ未満であり、かつ天然ゴムラテックス及び／又は合成樹脂エマルジョンの固形分（質量％）が２５〜３５％であるのが好ましい。
本発明において、天然ゴムラテックスと合成樹脂エマルジョンの固形分はタイヤパンクシール剤の加熱残分である。加熱残分は天然ゴムと合成樹脂である。天然ゴムラテックスと合成樹脂エマルジョンの固形分は、タイヤパンクシール剤全量中の、タイヤパンクシール剤を２００℃で１時間加熱した後に得られる残存物の量の比率（質量％）である。
【００１７】
本発明のタイヤパンクシール剤は、保管性能に優れるという観点から、天然ゴムラテックスと合成樹脂エマルジョンとを含む。天然ゴムラテックスの固形分／合成樹脂エマルジョンの固形分の比（質量比）は、−２０℃で特に低粘度とすることができ、優れた低温注入性とシール性能とを両立できることから、９０／１０〜３０／７０であるのが好ましく、７０／３０〜５０／５０であるのがより好ましい。
【００１８】
本発明において、ＰＧと水との合計量は、−２０℃における粘度、固形分の量比を適切な範囲とし、低温注入性、シール性能により優れ、保管性能に優れるという観点から、タイヤパンクシール剤全量中の６０〜８０質量％であるのが好ましく、６５〜７５質量％であるのがより好ましい。
【００１９】
本発明のタイヤパンクシール剤は凍結防止剤としてプロピレングリコールを含む。本発明において、プロピレングリコールは凍結防止剤として機能するほか、水との量比（プロピレングリコール／水の比）が０．５〜１．１であることによって、タイヤパンクシール剤の低温注入性、シール性能を優れたものとすることができる。プロプレングリコール／水比が０．５未満である場合タイヤパンクシール剤は凍結する。プロピレングリコール／水比が１．１より大きい場合タイヤパンクシール剤の粘度が高くなり注入困難となる。
プロピレングリコール／水の比は、低温注入性、シール性能により優れ、保管性能に優れるという観点から、０．５〜０．８であるのが好ましく、０．６〜０．８であるのがより好ましい。
また、プロピレングリコール／水の比が０．５〜０．８でありかつタイヤパンクシール剤の−２０℃の粘度が１００ｍＰａ・ｓ以上４００ｍＰａ・ｓ未満であるものが低温特性がより向上することから好ましい。
【００２０】
本発明のタイヤパンクシール材は、上述した各成分以外に必要に応じて所望により添加剤をさらに含むことができる。添加剤としては例えば、粘着付与剤、充填剤、老化防止剤、酸化防止剤、顔料（染料）、可塑剤、揺変性付与剤、紫外線吸収剤、難燃剤、界面活性剤（レベリング剤を含む）、分散剤、脱水剤、帯電防止剤が挙げられる。添加剤の量は特に制限されない。
【００２１】
本発明のタイヤパンクシール剤はその製造について特に制限されない。例えば、天然ゴムラテックス及び／又は合成樹脂エマルジョン、プロピレングリコール、所望により添加することができる添加剤を減圧下で混合ミキサー等のかくはん機を用いて十分に混合することによってタイヤパンクシール剤を製造する方法が挙げられる。
【００２２】
本発明のタイヤパンクシール剤の−２０℃での粘度は、ＢＬ型粘度計（ロータＮｏ．３）を使用し、回転数６０ｒｐｍの条件下で１００〜１２００ｍＰａ・ｓである。粘度がこのような範囲であることによって、本発明のタイヤパンクシール剤は、低温注入性、シール性能、保管性能に優れる。本発明のタイヤパンクシール剤の粘度は、低温注入性、シール性能により優れ、保管性能に優れるという観点から、１００ｍＰａ・ｓ以上４００ｍＰａ・ｓ未満であるのが好ましく、２００〜４００ｍＰａ・ｓであるのがより好ましい。
【００２３】
本発明のタイヤパンクシール材の使用方法としては、例えば、まず、本発明のタイヤパンクシール材をタイヤの空気充填部からタイヤ内に注入する。本発明のタイヤパンクシール材をタイヤ内に注入する方法は、特に限定されず従来公知の方法を用いることができ、例えば、シリンジ、スプレー缶等を用いる方法が挙げられる。タイヤ内に注入されるタイヤパンクシール材の量は、特に限定されず、パンク穴の大きさ等に応じて適宜選択される。次に、所定の空気圧までタイヤに空気を充填する。その後、車を走行させる。タイヤが回転接地する際に受ける圧縮力や剪断力によって天然ゴム及び／又は合成樹脂の粒子等による凝集体を形成し、パンク穴をシールすることができる。
【実施例】
【００２４】
以下に実施例を示して本発明を具体的に説明する。ただし本発明はこれらに限定されない。
＜評価＞
下記のとおり得られたタイヤパンクシール剤について以下の評価を行った。結果を下記表に示す。
・粘度
タイヤパンクシール剤の粘度は−２０℃の条件下においてＢＬ型粘度計（ローターＮｏ．３）を用いて回転数６０ｒｐｍで測定された。
・シール性能
タイヤのショルダー部に直径４ｍｍの大きさのパンク穴を再現し、ドラム試験を実施した。上述のとおり再現したパンク穴を有するタイヤのバルブ口からタイヤパンクシール剤を注入し、タイヤ内圧が２００ｋＰａになるように空気を充填した。ドラム試験において、荷重３５０ｋｇ、走行速度３０ｋｍ／ｈ、走行時間１分とし、これを１サイクルとする。ドラム試験は２５℃（常温）の条件下で行った。
シール性能の評価基準は、１０サイクル以内でシールできた場合を「◎」、１１〜１５サイクルでシールできた場合を「○」、１６サイクル以上でシールできた場合を「△」、シールしない場合を「×」とした。
・保管性能
８０℃雰囲気下において、上述のとおり得られたタイヤパンクシール剤に２０Ｈｚ、振幅±３ｍｍの振動を１６８時間与える試験を実施した。
保管性能の評価基準は、クリームの発生なしで安定している場合を「◎」、クリームが発生したがタイヤパンクシール剤を撹拌すればクリームが消失し均一となった場合を「○」、凝集物が発生した場合を「×」とした。
・低温注入性
−２０℃におけるタイヤパンクシール剤の粘度が、１００ｍＰａ・ｓ以上４００ｍＰａ・ｓ未満の場合を「◎」、４００〜１２００ｍＰａ・ｓの場合を「○」、１２００ｍＰａ・ｓより大きく２０００ｍＰａ・ｓ未満の場合を「△」、２０００ｍＰａ・ｓ以上または測定不能の場合を「×」とした。
【００２５】
＜タイヤパンクシール剤の製造＞
各表に示す成分を同表に示す量（質量部）で用いてこれらを混合することによってタイヤパンクシール剤を製造した。タイヤパンクシール剤を製造する際必要に応じて水を添加した。各表での配合組成における水の量はタイヤパンクシール剤全量中に含まれるトータルの水の量である。
【００２６】
【表１】
0005168394.tif 000002
【００２７】
【表２】
0005168394.tif 000003
【００２８】
【表３】
0005168394.tif 000004
【００２９】
【表４】
0005168394.tif 000005
【００３０】
【表５】
0005168394.tif 000006
【００３１】
各表に示す各成分の詳細は以下のとおりである。
・ゴムラテックス  ＮＲ：天然ゴムラテックス（Ｈｙｔｅｘ  ＨＡ、野村貿易社製、固形分約６０質量％）
・合成樹脂Ｅｍ  ＥＶＡ：エチレン−酢酸ビニル共重合樹脂エマルジョン（スミカフレックス４０８ＨＱＥ、住化ケムテックス社製、エチレン：酢酸ビニル＝４０：６０、固形分約５０質量％）
・合成樹脂Ｅｍ  アクリル：アクリル系エマルジョン（アクロナールＡ３７８、ＢＡＳＦ社製、固形分約５０質量％）
・合成樹脂Ｅｍ  ＶＥＶＡ：エチレン−酢酸ビニル−バーサチック酸ビニル共重合樹脂エマルジョン（スミカフレックス９５０ＨＱ、住化ケムテックス社製、エチレン：酢酸ビニル：バーサチック酸ビニル＝１０：５：８５、固形分５３質量％）
・プロピレングリコール：試薬１級、和光純薬社製
・エチレングリコール：三共化学社製
【００３２】
表に示す結果から明らかなように、表１（ＮＲラテックス固形分１００質量部、ＰＧ／水比を変動、固形分固定）において、ＰＧ／水の比が０．５未満である比較例１は−２０℃において凍結し低温注入性が悪く、シール性能が低かった。ＰＧ／水の比が１．１を超える比較例２、３は−２０℃での粘度が１２００ｍＰａ・ｓを超え、低温注入性、保管性能が低かった。参考例４と比較例２とを比較すると、比較例２（ＰＧ／水の比１．２）では著しく粘度が増加している。
表２（ＮＲラテックス固形分１００質量部、ＰＧ／水比固定、固形分変動）では、−２０℃における粘度が１００ｍＰａ・ｓ未満である比較例４はシール性能が低かった。−２０℃における粘度が１２００ｍＰａ・ｓを超える比較例５は低温注入性、保管性能が低かった。参考例５〜７の結果から、天然ゴム及び／又は合成樹脂エマルジョンの固形分を２０〜４０％とすることによっても、−２０℃の粘度を１００〜１２００ｍＰａ・ｓとすることができる。
表３（ＮＲラテックス及び合成樹脂エマルジョンの固形分１００質量部、ＰＧ／水比変動、固形分固定）では、ＰＧ／水の比が０．５未満である比較例６は−２０℃において凍結し低温注入性が悪く、シール性能が低かった。ＰＧ／水の比が１．１を超える比較例７、８は−２０℃での粘度が１２００ｍＰａ・ｓを超え、低温注入性が低かった。これに対して実施例８〜１１は低温注入性、シール性能、保管性能に優れる。実施例１１と比較例７とを比較すると、比較例７（ＰＧ／水の比１．２）では著しく粘度が増加している。
表４（エチレングリコール仕様）では、ＰＧの代わりにエチレングリコールを使用する比較例９〜１１はシール性能が低かった。
表５（ＮＲラテックス及び合成樹脂エマルジョン、または合成樹脂エマルジョンの固形分１００質量部、ＰＧ／水比固定、固形分変動）において、比較例１２、１３と実施例１３〜１５、１９とを比較すると、−２０℃における粘度が１００ｍＰａ・ｓ未満である比較例１２はシール性能が低かった。−２０℃における粘度が１２００ｍＰａ・ｓを超える比較例１３は低温注入性、保管性能が低かった。これに対して、実施例１３〜１５、１９は低温注入性、シール性能、保管性能に優れる。実施例１３〜１５の結果から、天然ゴム及び／又は合成樹脂エマルジョンの固形分を２０〜４０％とすることによっても、−２０℃の粘度を１００〜１２００ｍＰａ・ｓとすることができる。
実施例１２〜１７と比較例１４、１５とを比較すると、−２０℃における粘度が１２００ｍＰａ・ｓを超える比較例１４、１５は低温注入性、シール性能が低かった。これに対して、実施例１２〜１７は低温注入性、シール性能、保管性能に優れる。
【００３３】
本発明のタイヤパンクシール剤は優れた低温注入性とシール性能を両立させることができ、保管性能にも優れる。
【図１】
0005168394.tif 000007
【図２】
0005168394.tif 000008
【図３】
0005168394.tif 000009